(57)【要約】【課題】設定作業や保守点検作業に関わる表示を行う表示部分を必要な時のみ目視可能とした直流分電盤を提供する。【解決手段】直流分電盤１の分電盤本体１０には、直流電源からの直流電力を直流負荷に適合した直流電力に変換して給電線接続部に出力するＤＣ−ＤＣコンバータ２と、交流電源からの交流電力を直流負荷に適合した直流電力に変換して給電線接続部に出力するＡＣ−ＤＣコンバータ３と、両コンバータ２，３の動作を制御する制御部と、各種の表示を行う表示部６が収納される。表示部６は、設定作業及び保守点検作業のうち少なくとも何れか一方の作業に関わる表示を行う第１表示部６ａと、給電中の動作状況に関わる表示を行う第２表示部６ｂとを備える。表示部６は、分電盤本体１０の前面に設けた窓孔１４ｃから露出する部位に設けられ、第２表示部６ｂは窓孔１４ｃから常時露出しているが、第１表示部６ａは蓋２９によって開閉自在に覆われている。【選択図】図１
2011234499.tif 000002
【特許請求の範囲】
【請求項１】
直流負荷への直流給電線が接続される給電線接続部と、
直流電源からの直流電力を前記直流負荷に適合した直流電力に変換して前記給電線接続部に出力するＤＣ−ＤＣコンバータと、
交流電源からの交流電力を前記直流負荷に適合した直流電力に変換して前記給電線接続部に出力するＡＣ−ＤＣコンバータと、
前記ＤＣ−ＤＣコンバータおよび前記ＡＣ−ＤＣコンバータの動作を制御する制御部と、
各種の表示を行う表示部と、
前記給電線接続部と前記ＤＣ−ＤＣコンバータと前記ＡＣ−ＤＣコンバータと前記制御部と前記表示部とを内部に収納して造営面に取り付けられる分電盤本体とを備え、
前記分電盤本体の前面には前記表示部を露出させる窓孔が設けられ、
前記表示部が、設定作業及び保守点検作業のうち少なくとも何れか一方の作業に関わる表示を行う第１表示部と、給電中の動作状況に関わる表示を行う第２表示部とを備え、
前記第２表示部は前記窓孔から常時露出し、前記第１表示部を開閉自在に覆う蓋が設けられたことを特徴とする直流分電盤。
【請求項２】
前記分電盤本体は、前面側が開口した略箱状のケースと、前記窓孔を有して前記ケースの開口に着脱自在に取り付けられるカバーとを備え、
前記制御部は、制御プログラムを実行することによって、前記ＤＣ−ＤＣコンバータおよび前記ＡＣ−ＤＣコンバータの動作を制御するマイクロコンピュータからなり、
外部から前記制御プログラムをダウンロードするための通信ポートが前記カバーで隠される部位に設けられたことを特徴とする請求項１記載の直流分電盤。
【請求項３】
前記第１表示部は複数個の発光素子を有し、異常発生時に複数個の発光素子を個別に点灯又は消灯させ、複数個の発光素子の点滅パターンによって異常の内容を表示することを特徴とする請求項１又は２の何れか１項に記載の直流分電盤。
【請求項４】
前記蓋が前記第１表示部を覆った状態で、前記蓋の下側部に設けられた軸を回転自在に支持する軸受が設けられたことを特徴とする請求項１乃至３の何れか１項に記載の直流分電盤。
【請求項５】
前記軸受が、前記分電盤本体の前面よりも前方位置に設けられたことを特徴とする請求項４記載の直流分電盤。
【発明の詳細な説明】
【技術分野】
【０００１】
本発明は、複数系統の直流給電路に直流電力を供給する直流分電盤に関するものである。
【背景技術】
【０００２】
近年、直流電力により動作する直流機器が多く提供されているが、住宅や事業所では商用電源が配電されているため、従来は電源コンセントにＡＣアダプタを接続し、ＡＣアダプタで交流を直流に変換して直流機器に供給していた。また、交流電力により動作する交流機器でも、インバータ制御を行う交流機器では、電源コンセントから供給される交流を直流に一旦変換した後、再度交流に変換して負荷を駆動していた。
【０００３】
このように、直流機器やインバータ制御を行う交流機器では、各々の機器で交流電力から直流電力への電力変換を行っているため、ＡＣ−ＤＣ変換に伴う電力損失が各々の機器で発生し、全体として電力の利用効率が低下するという問題があった。
【０００４】
そこで、直流機器に対して直流電力を直接供給する直流配電システムが検討されている（例えば、特許文献１参照）。特許文献１に開示された配電システムでは、直流分電盤から直流給電路に直流電力が供給され、直流給電路に接続された直流機器に対して直流電力が供給されるようになっている。この直流分電盤は、太陽光発電設備から供給される直流電力を、直流機器に適合した直流電力に変換するＤＣ−ＤＣコンバータを備えるとともに、商用電源からの交流電力を直流機器に適合した直流電力に変換するＡＣ−ＤＣコンバータを備えている。また直流分電盤には、太陽光発電設備の発電状況や直流負荷の使用状況などに応じて、ＤＣ−ＤＣコンバータ及びＡＣ−ＤＣコンバータの動作状態を制御する制御部が設けられている。
【先行技術文献】
【特許文献】
【０００５】
【特許文献１】特開２０１０−４１７８２号公報
【発明の概要】
【発明が解決しようとする課題】
【０００６】
上述した直流分電盤には、ＤＣ−ＤＣコンバータやＡＣ−ＤＣコンバータの動作状態を表示する表示部が設けられ、表示部の表示をもとに各コンバータの動作状態を把握できるようになっている。表示部には、設定作業や保守点検作業に関わる表示を行う第１表示部と、直流負荷への給電中にその動作状況（例えば太陽光発電設備の発電状況や、商用電源からの給電の有無や、直流負荷の使用状況など）を表示する第２表示部とがある。ここで、直流負荷への給電が正常に行われている状態では第１表示部の表示は不要であり、第２表示部の表示内容が目視可能になっていると、一般のユーザにとっては、どの表示を見ればよいか紛らわしく、動作状態の表示が判りづらいものになっていた。また、正常動作時には第２表示部のみ外部から目視可能であればよく、正常動作時には表示が不要な第１表示部も外部から目視可能になっていると、分電盤本体の外観の見栄えが低下するという問題もあった。
【０００７】
本発明は上記課題に鑑みて為されたものであり、その目的とするところは、設定作業や保守点検作業に関わる表示を行う表示部分を必要な時のみ目視可能とした直流分電盤を提供することにある。
【課題を解決するための手段】
【０００８】
上記課題を解決するために、本発明の直流分電盤は、直流負荷への直流給電線が接続される給電線接続部と、直流電源からの直流電力を直流負荷に適合した直流電力に変換して給電線接続部に出力するＤＣ−ＤＣコンバータと、交流電源からの交流電力を直流負荷に適合した直流電力に変換して給電線接続部に出力するＡＣ−ＤＣコンバータと、ＤＣ−ＤＣコンバータおよびＡＣ−ＤＣコンバータの動作を制御する制御部と、各種の表示を行う表示部と、給電線接続部とＤＣ−ＤＣコンバータとＡＣ−ＤＣコンバータと制御部と表示部とを内部に収納して造営面に取り付けられる分電盤本体とを備え、分電盤本体の前面には表示部を露出させる窓孔が設けられ、表示部が、設定作業及び保守点検作業のうち少なくとも何れか一方の作業に関わる表示を行う第１表示部と、給電中の動作状況に関わる表示を行う第２表示部とを備え、第２表示部は窓孔から常時露出し、第１表示部を開閉自在に覆う蓋が設けられたことを特徴とする。
【０００９】
この直流分電盤において、分電盤本体は、前面側が開口した略箱状のケースと、窓孔を有してケースの開口に着脱自在に取り付けられるカバーとを備え、制御部は、制御プログラムを実行することによって、ＤＣ−ＤＣコンバータおよびＡＣ−ＤＣコンバータの動作を制御するマイクロコンピュータからなり、外部から制御プログラムをダウンロードするための通信ポートがカバーで隠される部位に設けられることも好ましい。
【００１０】
また、この直流分電盤において、  第１表示部は複数個の発光素子を有し、異常発生時に複数個の発光素子を個別に点灯又は消灯させ、複数個の発光素子の点滅パターンによって異常の内容を表示することも好ましい。
【００１１】
さらに、この直流分電盤において、蓋が第１表示部を覆った状態で、蓋の下側部に設けられた軸を回転自在に支持する軸受が設けられることも好ましい。
【００１２】
また、この直流分電盤において、軸受が、分電盤本体の前面よりも前方位置に設けられることも好ましい。
【発明の効果】
【００１３】
本発明によれば、給電中の動作状況を表示する第２表示部は常時露出させているのに対して、第１表示部を開閉自在に覆う蓋が設けられているので、設定作業や保守点検作業に関わる表示を行う表示部分を必要な時のみ目視可能とすることができる。
【図面の簡単な説明】
【００１４】
【図１】本実施形態の直流分電盤の分解斜視図である。
【図２】同上の直流分電盤を示し、（ａ）は蓋を閉じた状態の正面図、（ｂ）は蓋を開いた状態の正面図である。
【図３】同上の直流分電盤の要部を拡大した斜視図である。
【図４】同上の直流分電盤を示し、（ａ）は側面図、（ｂ）はカバーを外した状態の側面図、（ｃ）は蓋を開いた状態の側面図である。
【図５】同上の直流分電盤を示し、カバー及び保護カバーを外した状態の正面図である。
【図６】同上の直流分電盤を示し、（ａ）（ｂ）はカバーを外した状態の正面図である。
【図７】同上の直流分電盤が備える第１表示部の要部拡大図である。
【図８】同上の直流分電盤が用いられるハイブリッド配電システムのブロック図である。
【発明を実施するための形態】
【００１５】
以下に、本発明に係る直流分電盤の実施形態を図１〜図８に基づいて説明する。尚、以下の説明では、特に断りがないかぎり、図２（ａ）に示す向きにおいて上下左右の方向を規定し、図４（ａ）における左側を前側、右側を後側として説明を行う。
【００１６】
本発明に係る直流分電盤は、例えば直流電力と交流電力とを建物内に配電するハイブリッド配電システムに用いられる。図８は、戸建て住宅に適用されたハイブリッド配電システムの概略的なブロック図であり、先ず図８のブロック図を参照してハイブリッド配電システムの説明を行う。尚、このハイブリッド配電システムは、戸建て住宅以外の集合住宅の各住戸や事業所などの建築物に適用してもよい。
【００１７】
この配電システムは、直流負荷１０６が接続される直流給電線１０５に直流電力を供給する直流分電盤１と、交流負荷（図示せず）が接続される交流給電線１０７に交流電力を供給する交流分電盤１０４とを備えている。
【００１８】
交流分電盤１０４には、商用電源１０２からの交流電力と、太陽電池１０１で発電された直流電力をパワーコンディショナ１０３で交流に変換した交流電力とが供給される。そして、交流分電盤１０４では、商用電源１０２やパワーコンディショナ１０３から供給された交流電力を、交流負荷が接続される交流給電線１０７（複数の分岐回路からなる）に供給するとともに、直流分電盤１にも供給している。
【００１９】
直流分電盤１は、太陽電池１０１から直流電力が入力される直流入力部Ｔ１と、交流分電盤１０４から交流電力が入力される交流入力部Ｔ２と、直流給電線１０５が接続される複数系統の給電線接続部Ｔ３〜Ｔ５と、通信線が接続される通信線接続部Ｔ６を備える。また、直流分電盤１には、ＤＣ−ＤＣコンバータ２と、ＡＣ−ＤＣコンバータ３と、蓄電池４と、制御部５と、表示部６と、操作部７と、通信インターフェイス（以下、通信Ｉ／Ｆと言う。）８とが内器として収納されている。尚、このハイブリッド配電システムでは、分散電源として、太陽光を受光して光電変換を行うことにより発電を行う太陽電池１０１を備えているが、燃料電池や風力発電設備などの発電設備を備えてもよい。
【００２０】
ＤＣ−ＤＣコンバータ２は、直流入力部Ｔ１に入力された直流電力や、蓄電池４からの直流入力を、直流負荷に適合した直流電力に変換して給電線接続部Ｔ３〜Ｔ５に出力する。また、ＤＣ−ＤＣコンバータ２は、太陽電池１０１からの直流電力の余剰分で蓄電池４を充電する機能も有しており、非常時などに蓄電池４から放電させ、非常灯などの防災・防犯関連の直流機器１０６が接続された系統に直流電力を供給する。
【００２１】
ＡＣ−ＤＣコンバータ３は、交流入力部Ｔ２に入力された交流電力を、直流負荷に適合した直流電力に変換して給電線接続部Ｔ３〜Ｔ５に出力する。
【００２２】
制御部５は、メモリ（図示せず）に記憶した制御プログラムを実行することによって、直流分電盤１に収納された内器の動作を制御するマイクロコンピュータなどで構成される。制御部５では、ＤＣ−ＤＣコンバータ２及びＡＣ−ＤＣコンバータ３の動作を制御（例えばＯＮ／ＯＦＦ制御や出力電圧制御など）するとともに、各部の動作状態などを監視して監視結果を表示部６に表示する。
【００２３】
表示部６は、異常発生時に発生時に異常の内容を表示する第１表示部６ａと、給電時の動作状況に関わる表示を行う第２表示部６ｂとで構成される。第１表示部６ａ及び第２表示部６ｂは、それぞれ、複数個の発光素子（例えば発光ダイオード）で構成され、複数個の発光素子の点灯、消灯、点滅などにより、所定の内容を表示する。尚、本実施形態では第１表示部６ａが、保守点検作業に関わる表示として、異常発生時に発生した異常の内容を表示しているが、表示内容を発生した異常の内容に限定する趣旨のものではなく、設定作業や保守点検作業に関わる表示を行うものであればよい。
【００２４】
操作部７は複数個の押釦スイッチからなり、複数個の押釦スイッチからの操作入力を制御部５に出力する。この操作部７を用いて、例えばＤＣ−ＤＣコンバータ２及びＡＣ−ＤＣコンバータ３の動作を切り替える操作や、制御部５のリセット操作や、停止中のＤＣ−ＤＣコンバータ２及びＡＣ−ＤＣコンバータ３を復旧させる操作などを行うことができる。
【００２５】
通信Ｉ／Ｆ８は、通信線接続部Ｔ６に接続される通信線（図示せず）を介して、例えば直流負荷１０６との間で電力線搬送通信を行い、直流負荷１０６から負荷情報などを取得する。
【００２６】
この直流分電盤１は、図８のブロック図に示した各構成要素を箱状の分電盤本体１０に収納して構成される。分電盤本体１０は、矩形板状の基板１１と基板１１の４つの辺から前方に突出する側板１２とで、前面側が開口した略箱状に形成される金属製のケース１３と、ケース１３の開口に着脱自在に取り付けられる金属製のカバー１４とを備える。この分電盤本体１０は、住戸内の壁に固定される金属製の取付板１５に対してネジなどを用いて取り付けられる。
【００２７】
カバー１４は、矩形板状の主部１４ａと、主部１４ａの４つの辺から後方に突出する側部１４ｂとを一体に備えている。また主部１４ａの右側部には、分電盤本体１０内に収納された表示部６及び操作部７を露出させる矩形の窓孔１４ｃが開口している。
【００２８】
ケース１３の内部は、上下の側板の間に設けられた隔壁１６ａ，１６ｂによって、左右方向において３つの区画に分離され、さらに中央の区画は隔壁１６ａと隔壁１６ｂの間に設けられた隔壁１６ｃによって上下２つの区画に分離されている。
【００２９】
各々の区画には、直流分電盤が備える内器のうち、同種のものが纏めて収納されている。本実施形態では、図５に示すように、中央上側の区画１７ａに、電力変換を行うＤＣ−ＤＣコンバータ２の回路基板１８や、ＡＣ−ＤＣコンバータ３の回路基板１９などが収納されている。また中央下側の区画は、外部からの電線が接続される端子台の収納スペースとなる。この区画には、太陽電池１０１からの給電線が接続される端子台２０ａや、交流分電盤１０４からの分岐線が接続される端子台２０ｂや、直流給電線１０５が接続される端子台２０ｃが収納されている。ここにおいて、端子台２０ａにより直流入力部Ｔ１が構成され、端子台２０ｂにより交流入力部Ｔ２が構成され、３組の端子台２０ｃにより給電線接続部Ｔ３〜Ｔ５が構成されている。
【００３０】
また、左端の区画１７ｃには蓄電池４が収納されている。
【００３１】
また更に、右端の区画１７ｄには、制御部５や表示部６や操作部７などの弱電系の回路を構成する回路部品が実装された回路基板（図示せず）が収納されている。
【００３２】
ここで、区画１７ａ，１７ｂを仕切る隔壁１６ｃには、ＤＣ−ＤＣコンバータ２及びＡＣ−ＤＣコンバータ３と端子台２０ａ〜２０ｃとの間を接続する電線（図示せず）を通す電線通し孔２１が設けられている。また、蓄電池４とＤＣ−ＤＣコンバータ２の間を接続する電線（図示せず）や、蓄電池４と制御部５の間を接続する電線（図示せず）は、カバー１４の主部１４ａ裏面と隔壁１６ａ，１６ｂとの間の隙間を通って配線されている。尚、これらの電線の位置が動かないように、これらの電線は、隔壁１６ａ，１６ｂの前側に配置される電線ガイド板２２に保持されている。
【００３３】
電力変換を行うＤＣ−ＤＣコンバータ２やＡＣ−ＤＣコンバータ３が収納された区画１７ａは、隔壁１６ａ，１６ｂに着脱自在に取着される保護カバー２３、この保護カバー２３に取り付けられる保護シート２４によって覆われている。また区画１７ｃに収納された蓄電池４には、後面が開口した略箱状の保護カバー２５が被せられている。したがって、保護カバー２３，２５及び保護シート２４により、区画１７ａに収納された部品（ＤＣ−ＤＣコンバータ２及びＡＣ−ＤＣコンバータ３）や、蓄電池４を保護することができる。
【００３４】
区画１７ｄ内に収納された回路基板の前面側には、合成樹脂成形品からなる表示カバー２６が取り付けられている。表示カバー２６の前面において、カバー１４の窓孔１４ｃに対応する部位は、前方に突出した矩形状の張出部２６ａとなっており、カバー１４を被せた状態ではカバー１４の前面と張出部２６ａの前面とが前後方向において略同じ位置に位置している。
【００３５】
張出部２６ａの上側部分には、第２表示部６ｂを構成する複数個の発光ダイオードＬＤ１と、操作部７を構成する複数個のスイッチＳＷ１が配置され、内部に収納されたブザー（図示せず）の音を出すための孔２７が開口している。また、張出部２６ａの下側部分は凹部２８となっており、この凹部２８の底には第１表示部６ａを構成する複数個の発光ダイオードＬＤ２，ＬＤ３（発光素子）と、操作部７を構成するリセットスイッチＳＷ２と、復旧スイッチＳＷ３とが配置されている。ここで、リセットスイッチＳＷ２は制御部５を構成するマイクロコンピュータのリセット操作を行うスイッチ、復旧スイッチＳＷ３はＤＣ−ＤＣコンバータ２やＡＣ−ＤＣコンバータ３の動作を復旧させるためのスイッチである。また、凹部２８の底面には第１表示部６ａの操作内容や操作部７の用途を示す銘板３５が貼り付けられている。この銘板３５には、図７に示すように、発光ダイオードＬＤ２，ＬＤ３の表示内容（例えばＡＣ、ＰＶ、通信、電池などの名称や１〜７の数字）や、スイッチＳＷ２，ＳＷ３の用途を示す文字（例えばリセット、復旧など）が印字されている。
【００３６】
第１表示部６ａが配置された凹部２８は、矩形板状の蓋２９によって開閉自在に閉塞される。図３に示すように蓋２９の左右両側辺の下側部には軸３０が設けられており、凹部２８の左右両縁部の下側に設けられた軸受３１に軸３０を回転自在に支持させることによって、凹部２８を閉塞する位置と凹部２８を露出させる位置との間で回転自在となっている。蓋２９の左右両側縁の上側部には係合爪３２が設けられており、蓋２９を閉じた際に係合爪３２が凹部２８の側壁に設けた係合溝３３と係合することによって、蓋２９が閉じた状態で保持される。尚、蓋２９の上側辺の中央には突起３４が設けられ、この突起３４を指で引っ掛けることによって、蓋２９を容易に開けることができる。
【００３７】
第１表示部６ａは、各部が正常に動作しているか否かの表示と、発生した異常の内容とを表示するものであり、４個の発光ダイオードＬＤ２で各部の動作が正常か否かを表示し、７個の発光ダイオードＬＤ３で発生した異常の内容を表示する。４個の発光ダイオードＬＤ２は、図７における左側から順番に、商用電源１０２からの電源供給、太陽電池１０１からの電力供給、通信Ｉ／Ｆ８による通信、蓄電池４に対応し、例えば異常発生時に点灯するようになっている。また、７個の発光ダイオードＬＤ３は左右方向に並べて配置され、異常発生時には、制御部５が、異常の内容に応じて７個の発光ダイオードＬＤ３を個別に点灯又は消灯させる。
【００３８】
制御部５は、ＤＣ−ＤＣコンバータ２、ＡＣ−ＤＣコンバータ３、通信Ｉ／Ｆ８及び蓄電池４の動作状態を常時監視しており、何らかの異常を検出すると、第１表示部６ａの表示を制御して異常内容を報知する。すなわち、制御部５では、異常の発生した部位に対応する発光ダイオードＬＤ２を点灯させるとともに、異常の内容に応じた点滅パターンで７個の発光ダイオードＬＤ３を個別に点灯又は消灯させている。
【００３９】
上述のように本実施形態では、第１表示部６ａを開閉自在に覆う蓋２９が設けられ、通常は蓋２９が閉じられている。一方、第２表示部６ｂは分電盤本体１０の前面に常時露出しており、第２表示部６ｂの表示を視認できるようになっている。これにより、正常動作時には表示の必要がない第１表示部６ａを蓋２９で隠して、表示部の数を減らすことができ、分電盤本体１０の外観の見栄えをよくできる。また、正常動作時には第１表示部６ａを隠し、動作状況を表示する第２表示部６ｂのみを目視可能な状態とすることで、表示部の数を減らすことができるから、一般のユーザにとっては、どの表示を見ればよいかが判りやすくなり、動作状態の表示を見やすくできる。また、何らかの異常が発生した場合は、蓋２９を開けて第１表示部６ａの表示を確認することができるので、発光ダイオードＬＤ２，ＬＤ３の点灯状態から異常の発生部位や内容を判別できる。
【００４０】
さらに本実施形態では、制御部５が、発生した異常の内容に応じて、複数個の発光ダイオードＬＤ３を個別に点灯又は消灯させている。これにより、複数個の発光ダイオードＬＤ３が異常の内容に応じた点滅パターンで点灯されることになり、発光ダイオードＬＤ３の数をｎ個とすると、２ｎ通りの異常を表示することができるので、安価な構成で多くの情報を表示することができる。
【００４１】
ここで、蓋２９において、第１表示部６ａを覆った状態（すなわち凹部２８を閉塞した状態）で下側部となる部位に軸３０が設けられており、この軸３０を軸受３１に対して回転自在に支持させている。したがって、蓋２９を開いた状態では、図４（ｃ）に示すように蓋２９が軸受３１から下側に垂れ下がった状態となる。一般に分電盤本体１０は壁の上方位置に取り付けられるため、ユーザは上方にある分電盤本体１０を見上げることになるが、蓋２９が自重で下側に垂れ下がった状態となるため、表示を見るために蓋２９を手で支える必要が無く、表示内容の確認作業がやりやすい。また、蓋２９は下側に開くため、蓋２９に遮られて、上側にある表示部６の表示が見えにくくなることはない。
【００４２】
また、図４（ａ）（ｂ）に示すように、軸受３１は表示カバー２６の前面よりも前方であって、分電盤本体１０の前面（つまり主部１４ａの前面）よりも前方位置に設けられている。ここで、軸受３１が主部１４ａの前面よりも後方にあると、蓋２９を開いた際に、窓孔１４ｃの周縁部に蓋２９が当たることによって、蓋２９の回転角度が制限されてしまう。それに対して、本実施形態では、軸部３１が主部１４ａの前面よりも前方位置にあるから、蓋２９を開いた際に、窓孔１４ｃの周縁部に蓋２９が当たることがない。その結果、図４（ｃ）に示すように、蓋２９の上側辺に設けた突起３４が主部１４ａの前面に当接する位置まで、蓋２９を回転させることができ、蓋２９の回転範囲を広げることができる。
【００４３】
また表示カバー２６には、図６に示すように、張出部２６ａ以外の部位に開口３６が設けられ、上述の回路基板には開口３６に臨むようにして、制御プログラムなどのプログラムをダウンロードするための通信ポートを構成するコネクタ３８が実装されている。そして、表示カバー２６には、開口３６を開閉自在に閉塞する扉３７が取り付けられている。
【００４４】
したがって、制御部５の制御プログラムを更新する場合には、カバー１４を外して扉３７を露出させた後、扉３７を上側に開いてコネクタ３８を露出させ、このコネクタ３８に例えばパーソナルコンピュータなどからの通信ケーブルを接続する。そして、パーソナルコンピュータから制御部５に制御プログラムをダウンロードすると、制御部５が、メモリに記憶された制御プログラムを書き換えることによって、制御プログラムの更新が行われる。
【００４５】
このように、制御プログラムをダウンロードするための通信ポート（コネクタ３８）はカバー１４で隠される部位に設けられているので、一般のユーザがコネクタ３８に触れる可能性を低減でき、またコネクタ３８に外的な荷重が加えられる可能性を低減できる。尚、本実施形態ではコネクタ３８を覆う扉３７が設けられているので、カバー１４が外された状態でも、扉３７でコネクタ３８が覆われているから、さらに安全性を高めることができる。
【符号の説明】
【００４６】
１  直流分電盤
２  ＤＣ−ＤＣコンバータ
３  ＡＣ−ＤＣコンバータ
５  制御部
６  表示部
６ａ  第１表示部
６ｂ  第２表示部
１０  分電盤本体
１３  ケース
１４  カバー
１４ｃ  窓孔
２９  蓋
３０  軸
３１  軸受
３８  コネクタ（通信ポート）
１０１  太陽電池（直流電源）
１０２  商用電源（交流電源）
１０３  パワーコンディショナ（交流電源）
１０５  直流給電線
１０６  直流負荷
ＬＤ１〜ＬＤ３  発光ダイオード（発光素子）
Ｔ３〜Ｔ５  給電線接続部
【図１】
2011234499.tif 000003
【図２】
2011234499.tif 000004
【図３】
2011234499.tif 000005
【図４】
2011234499.tif 000006
【図５】
2011234499.tif 000007
【図６】
2011234499.tif 000008
【図７】
2011234499.tif 000009
【図８】
2011234499.tif 000010